【手続補正書】
【提出日】平成29年8月1日(2017.8.1)
【手続補正１】
【補正対象書類名】明細書
【補正対象項目名】００６８
【補正方法】変更
【補正の内容】
【００６８】
管理者でないと判断した場合、録画削除部１２５は、操作者特定部１１４から取得したデータの指示内容に含まれる番組情報を含む録画データ１２１を取得する。録画削除部１２５は、取得した録画データ１２１に複数の録画者ＩＤが含まれるか否かを判断する（このとき、「共用ＩＤ」は除いて判断されてもよい。）。複数の録画者ＩＤが含まれると判断した場合、録画削除部１２５は、録画データ１２１の録画者ＩＤから、操作者特定部１１４から取得したデータに含まれるユーザＩＤを削除する。複数の録画者ＩＤが含まれないと判断した場合、録画削除部１２５は、録画データ１２１を削除する。
【手続補正２】
【補正対象書類名】特許請求の範囲
【補正対象項目名】全文
【補正方法】変更
【補正の内容】
【特許請求の範囲】
【請求項１】
第１ユーザによる第１情報通信端末への操作に応じた第１指示内容と前記第１情報通信端末を識別するための第１端末識別情報とを含む第１指示データを受信する指示受信手段と、
前記第１ユーザを識別するための第１ユーザ識別情報と前記第１端末識別情報とを対応付けるユーザデータを記憶するユーザ記憶手段と、
前記指示受信手段により受信された第１指示データと前記ユーザ記憶手段に記憶されたユーザデータとに基づいて、前記第１ユーザ識別情報を特定する操作者特定手段とを備える録画再生装置。
【請求項２】
前記指示受信手段が受信した第１指示データに指示内容として含まれる録画又は録画予約に従って特定の放送番組の録画データを生成した場合に、前記操作者特定手段によって特定された第１ユーザ識別情報を、前記生成した録画データに含めて録画記憶手段に記憶させる録画手段をさらに備える
請求項１に記載の録画再生装置。
【請求項３】
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、前記第２ユーザ識別情報を特定し、
前記録画手段は、前記指示受信手段が受信した第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させる
請求項２に記載の録画再生装置。
【請求項４】
前記指示受信手段が受信した第１指示データに含まれる第１指示内容が前記録画データの削除であって、削除対象の前記録画データが前記第１ユーザ識別情報と前記第２ユーザ識別情報とを含む場合に、削除対象の前記録画データから前記第１ユーザ識別情報を削除する録画削除手段をさらに備える
請求項３に記載の録画再生装置。
【請求項５】
前記指示受信手段が受信した第１指示データに含まれる第１指示内容が前記録画データの再生である場合に、前記操作者特定手段によって特定される第１ユーザ識別情報と当該録画データが再生済みであることとを関連付けて前記録画データに含めて前記録画記憶手段に記憶させる再生フラグ設定手段をさらに備える
請求項２から４のいずれか１項に記載の録画再生装置。
【請求項６】
前記録画データの再生中に前記指示受信手段が受信した第１指示データに含まれる第１指示内容が再生の中断である場合に、再生を中断した位置を示す中断位置情報と前記操作者特定手段によって特定される第１ユーザ識別情報とを関連付けて録画データに含めて前記録画記憶手段に記憶させる中断位置記録手段をさらに備える
請求項２から５のいずれか１項に記載の録画再生装置。
【請求項７】
前記指示受信手段が受信した第１指示データに含まれる第１指示内容が前記録画データの再生である場合であって、当該録画データが前記第１ユーザ識別情報に関連付けられた中断位置情報を含むとき、当該中断位置情報が示す位置から前記録画データを再生し、当該録画データが前記第１ユーザ識別情報に関連付けられた中断位置情報を含まないとき、前記録画データを先頭から再生する再生手段をさらに備える
請求項６に記載の録画再生装置。
【請求項８】
前記指示受信手段が受信した第１指示データに含まれる第１指示内容が特定の放送番組の録画予約である場合に、当該特定の放送番組を示す録画予約データに、前記操作者特定手段によって特定された第１ユーザ識別情報を含めて録画予約記憶手段に記憶させる録画予約手段をさらに備える
請求項１から７のいずれか１項に記載の録画再生装置。
【請求項９】
前記指示受信手段は、さらに、第２ユーザによる第２情報通信端末への操作に応じた第２指示内容と、前記第２情報通信端末を識別するための第２端末識別情報とを含む第２指示データを受信し、
前記ユーザ記憶手段に記憶されたユーザデータは、さらに、前記第２ユーザを識別するための第２ユーザ識別情報と、前記第２端末識別情報とを対応付け、
前記操作者特定手段は、前記指示受信手段により受信された第２指示データと、前記ユーザ記憶手段に記憶されたユーザデータとに基づいて、第２ユーザ識別情報を特定し、
前記録画予約手段は、前記指示受信手段が受信した第２指示データに含まれる第２指示内容が前記特定の放送番組の録画予約である場合に、前記操作者特定手段によって特定された第２ユーザ識別情報を、前記録画予約データにさらに含めて前記録画予約記憶手段に記憶させる
請求項８に記載の録画再生装置。
【請求項１０】
前記指示受信手段が受信した第１指示データに含まれる指示内容が前記録画予約データの削除であって、削除対象の前記録画予約データが前記第１ユーザ識別情報と前記第２ユーザ識別情報とを含む場合に、当該削除対象である録画予約データから前記第１ユーザ識別情報を削除する録画予約削除手段をさらに備える
請求項９に記載の録画再生装置。
【請求項１１】
前記録画予約削除手段が前記削除対象である録画予約データから前記第１ユーザ識別情報を削除した後、前記指示受信手段が第２指示データを受信し、前記第２指示データに含まれる第２指示内容が前記録画予約データの削除である場合に、
前記録画予約削除手段は、前記録画予約データを削除する
請求項１０に記載の録画再生装置。
【請求項１２】
前記操作者特定手段によってユーザ識別情報が特定されない場合、前記録画予約手段は、前記第１ユーザおよび前記第２ユーザが共用可能な第３ユーザ識別情報を、前記録画予約データにさらに含めて前記録画予約記憶手段に記憶させる
請求項９から１１のいずれか１項に記載の録画再生装置。
【請求項１３】
前記指示受信手段が受信した第１指示データに含まれる第１指示内容が放送予定又は録画予約済みの番組情報の表示である場合に、前記第１ユーザ識別情報を含む録画予約データが示す放送番組が録画予約済みであることを、前記第１指示内容に従った番組情報とともに表示手段に表示させる予約表示データを生成する予約表示手段をさらに備える
請求項１から１２のいずれか１項に記載の録画再生装置。
【請求項１４】
前記指示受信手段が受信した第１指示データに含まれる第１指示内容が録画済みの番組情報の表示である場合に、前記第１ユーザ識別情報を含む録画データの番組情報を表示手段に表示させる録画表示データを作成する録画表示手段をさらに備える
請求項１から１３のいずれか１項に記載の録画再生装置。
【請求項１５】
前記指示受信手段は、さらに、第２ユーザによる第２情報通信端末への操作に応じた第２指示内容と前記第２情報通信端末を示す第２端末識別情報とを含む第２指示データを受信し、
前記第１指示データは、さらに、前記録画データに含まれる情報を前記第２ユーザへ開示することの許否を示す開示許否情報を含み、
前記録画手段は、前記第１指示データに含まれる開示許否情報を、前記生成した録画データにさらに含めて前記録画記憶手段に記憶させ、
前記録画再生装置は、前記指示受信手段が受信した第２指示データに含まれる第２指示内容が録画済みの番組情報の表示である場合であって、前記録画データに含まれる開示許否情報が許可を示すとき、当該録画データの番組情報を表示手段に表示させる録画表示データを作成し、前記録画データに含まれる開示許否情報が不許可を示すとき、当該録画データの番組情報を表示手段に表示させない録画表示データを作成する録画表示手段をさらに備える
請求項２に記載の録画再生装置。
【請求項１６】
前記第１ユーザ識別情報には、前記第１ユーザの名称として登録される情報である表示名を含み、
前記録画表示手段は、前記指示受信手段が受信した第２指示データに含まれる第２指示内容が録画済みの番組情報の表示である場合であって、前記録画データに含まれる開示許否情報が許可を示すとき、前記表示名を表示手段に表示させる録画表示データを作成する
請求項１５に記載の録画再生装置。
【請求項１７】
前記指示受信手段が受信した第１指示データは、さらに、前記録画予約データに含まれる情報を前記第２ユーザへ開示することの許否を示す開示許否情報を含み、
前記録画予約手段は、前記第１指示データに含まれる開示許否情報を、前記生成した録画予約データにさらに含めて前記録画予約記憶手段に記憶させ、
前記録画再生装置は、前記指示受信手段が受信した第２指示データに含まれる第２指示内容が録画予約済みの番組情報の表示である場合であって、前記録画予約データに含まれる開示許否情報が許可を示すとき、当該録画予約データの番組情報を表示手段に表示させる予約表示データを作成し、前記録画予約データに含まれる開示許否情報が不許可を示すとき、当該録画予約データの番組情報を表示手段に表示させない予約表示データを作成する予約表示手段をさらに備える
請求項９に記載の録画再生装置。
【請求項１８】
前記指示受信手段は、さらに、第２ユーザによる第２情報通信端末への操作に応じた第２指示内容と前記第２情報通信端末を示す第２端末識別情報と前記録画データに含まれる情報を前記第１ユーザへ開示することの許否を示す開示許否情報を含む第２指示データを受信し、
前記ユーザ記憶手段に記憶されたユーザデータは、前記第１ユーザ識別情報と前記第１端末識別情報とにさらに管理者であることを示す管理者情報を対応付けるとともに、前記第２ユーザを示す第２ユーザ識別情報と前記第２端末識別情報とを対応付け、
前記録画再生装置は、前記指示受信手段が受信した第２指示データに含まれる指示内容に従って特定の放送番組の録画データを生成した場合に、前記操作者特定手段によって特定された第２ユーザ識別情報と前記第２指示データに含まれる開示許否情報とを、前記生成した録画データに含めて前記録画記憶手段に記憶させる録画手段と、
前記指示受信手段が受信した第１指示データに含まれる第１指示内容が録画済みの番組情報の表示である場合に、許可を示す開示許否情報を含む録画データの番組情報とともに、不許可を示す開示許否情報を含む録画データの番組情報を表示手段に表示させる録画表示データを作成する録画表示手段とをさらに備える
請求項２に記載の録画再生装置。
【請求項１９】
前記操作者特定手段は、前記指示受信手段により受信された第２指示データと、前記ユーザ記憶手段に記憶されたユーザデータとに基づいて、第２ユーザ識別情報を特定し、
前記録画手段は、前記指示受信手段により受信された第２指示データに含まれる第２指示内容が前記特定の放送番組の録画又は録画予約である場合に、前記操作者特定手段によって特定された第２ユーザ識別情報を、前記生成した録画データにさらに含めて前記録画記憶手段に記憶させ、
前記録画再生装置は、前記指示受信手段が受信した第１指示データに含まれる指示内容が録画データの削除であって、削除対象の録画データが前記第１ユーザ識別情報と前記第２ユーザ識別情報とを含む場合に、前記第１指示内容に従って、前記録画データから前記第１ユーザ識別情報を削除するか、前記録画データから前記第２ユーザ識別情報を削除するか、又は、前記録画データを前記録画記憶手段から削除する録画削除手段をさらに備える
請求項１８に記載の録画再生装置。
【請求項２０】
前記ユーザ記憶手段に記憶されたユーザデータは、前記第２指示内容を制限するための指示制限情報を、前記第２ユーザ識別情報と前記第２端末識別情報とにさらに対応付け、
前記録画再生装置は、前記第１端末識別情報から受信した前記指示制限情報を前記ユーザ記憶手段に設定する指示制限手段をさらに備える
請求項１８又は１９に記載の録画再生装置。
【請求項２１】
前記ユーザ記憶手段に記憶された前記指示制限情報が特定の放送番組の録画予約であって、前記指示受信手段により受信された第２指示データに含まれる第２指示内容が当該特定の放送番組の録画予約である場合、前記第２指示内容が制限されている旨を表示させる録画予約手段をさらに備える
請求項２０に記載の録画再生装置。
【請求項２２】
前記録画手段は、前記ユーザ記憶手段に記憶された前記指示制限情報が特定の放送番組の録画であって、前記指示受信手段により受信された第２指示データに含まれる第２指示内容が当該特定の放送番組の録画である場合、前記第２指示内容が制限されている旨を表示させる
請求項２０に記載の録画再生装置。
【請求項２３】
コンピュータに、
第１ユーザによる第１情報通信端末への操作に応じた第１指示内容と前記第１情報通信端末を識別するための第１端末識別情報とを含む第１指示データを受信し、
前記第１ユーザを識別するための第１ユーザ識別情報と前記第１端末識別情報とを対応付けるユーザデータと、前記受信された第１指示データとに基づいて、前記第１ユーザ識別情報を特定することを実行させるためのプログラム。